(57)【要約】【課題】  洗濯機の稼動中は洗濯水を磁気処理し、洗濯水を中性化し、洗濯効率を上げ、洗濯槽の外面、受水槽内面に装着する黒かび発生防止に効果のある洗濯機にすること。【解決の手段】  負の電荷を持った洗濯水を、正の電荷を帯びた洗濯水にするために、受水槽側面に磁石のＮ極を複数個装着できるボックスを設け、脱水槽、受水槽内部にＮ極の磁場を作り、攪拌翼の回転によって、洗濯水は洗濯槽、受水槽の中に流れができ、その一定の流れがＮ極の磁場を通過することで、連続して磁気処理され、正の電荷を持つ洗濯水にすることができる。【選択図】      図１
2005261890.tif 000002
【特許請求の範囲】
【請求項１】
洗濯槽内の洗濯水水面に対して、垂直に磁石複数個を受水槽の外面に配列し、洗濯槽の中心に向けＮ極を装着させ、洗濯水を磁気処理することを特徴とする洗濯機。
【請求項２】
上記磁石の配列は、磁石と非磁性体を交互に用いて複数の配列を等間隔、または、２列以上の組み合せ配列を、設けていることを特徴とする請求項１記載の洗濯機。
【請求項３】
上記２列以上の組み合せ配列は、磁石と非磁性体の位置が、１列と２列の組み合せが交互に配置されていることを特徴とする請求項２記載の洗濯機。
【発明の詳細な説明】
【技術分野】
【０００１】  本発明は、磁石を用いて、洗濯槽、受水槽内に流れる洗濯水に磁力をあたえ、強力な磁力の作用で磁気処理させることのできる洗濯機に関するものである。
【背景技術】
【０００２】  従来の洗濯機における洗濯水の磁気処理方法は、洗濯槽の内側に磁石を取り付け、磁石が持つＮ極とＳ極の異極を対向になるよに設け、その隙間を洗濯水が通過することで連続的に磁気処理をする方法がある（例えば、特許文献１参照。）。
また、洗濯槽の外側に洗濯水が流れるバイバス水路を１個以上設け、バイバス水路にＮ極とＳ極の磁石を異極が対向になるように挟み、洗濯水及び、すすぎ水を連続的に磁気処理をする方法がある（例えば、特許文献１参照。）。【０００３】  そして、洗濯槽の外側に洗濯水の循環経路を設け、その循環経路に２つの磁石で異極が対向になるように循環経路に挟み、洗濯水をポンプで循環させ、磁気処理させる方法などがある（例えば、特許文献２参照。）。
また、洗濯機の攪拌翼の裏側に水路を設け、攪拌翼の回転軸と平行になるように、磁石のＳ極とＮ極を配置し、洗濯水及び、すすぎ水を磁気処理させる方法がある（例えば、特許文献２公報参照。）。【０００４】  上記のいずれの内容も磁石のＮ極とＳ極を対向に向けて、洗濯水のバイバス水路、洗濯水路、循環経路又は洗濯槽の内面に磁石を取付け、洗濯水及び、すすぎ水を磁気処理することにより、洗剤使用料の削減、洗濯効率を高め、細菌の繁殖抑制、及び水を軟水化する磁気処理方法である。
【特許文献１】特開平７−２４１７６号  公報
【特許文献２】特開平１０−２９５９８７号  公報
【発明の開示】
【発明が解決しようとする課題】
【０００５】  従来の洗濯機に用いている磁石の磁極は、Ｎ極とＳ極を対向に向けた異極仕様で、洗濯槽内の洗濯水路、又は洗濯槽の内面に磁石を取付ける仕様方法と、バイバス回路、循環経路を設け、その経路に異極のＮ極とＳ極を対向に向け、循環する洗濯水に磁気を与える方法では、洗濯水の磁場を通過する流量がいずれも少なく、また、磁石の異極仕様では磁気処理効果を十分に得ることができなかった。【０００６】  本発明は、上記課題を解決するもので、洗濯水の磁気処理効果を高め、洗剤使用料の削減、洗濯効率を高め、細菌の繁殖抑制、及び、水を中性化することのできる洗濯機を提供することを目的とするものである。
【課題を解決するための手段】
【０００７】  本発明は、上記目的を達成するために、洗濯槽内の洗濯水水面に対して、垂直に磁石複数個を受水槽の外面に配列し、洗濯槽中心に向けＮ極を装着させ、その磁石の配列は、磁石と非磁性体を交互に用いて複数の配列を等間隔に配置するか、また、２列以上の組み合せによる配列を設けることで、単列配列より、より効果を得る２列以上の組み合せ配列をおこなうもので、その配列は１列めと２列めの磁石と非磁性体の位置が、１列めと２列めの組み合せが交互に配置されている、その組み合せ配列を用いたものである。
【発明の効果】
【０００８】  上述したように本発明は、洗濯槽内の洗濯水水面に対して、垂直に磁石複数個を受水槽の外面に配列し、洗濯槽の中心に向けＮ極を装着させることで、洗濯槽、受水槽内部にＮ極の磁場が発生し、洗濯槽内部に給水される洗濯水の高低に関係なく洗濯水は、洗濯時に攪拌翼によって洗濯水は回転し、洗濯槽、受水槽内を流れとることによって、受水槽外面に配列された磁石のＮ極が持つ正電荷の磁場を、直角に通過することで、負の電荷を持つた洗濯水は、正の電荷を持つ洗濯水に磁気処理されることで、洗濯水のペーハーの値が中性化し、洗剤使用料の削減、洗濯効率を高め、また、硬水を用いている地域にも洗剤効果と肌に優しい柔らかい洗濯物を提供できる洗濯機。【０００９】  また、洗濯槽内の洗濯水水面に対して、垂直に磁石複数個を受水槽の外面に２列以上の組み合せ配列にすることで、洗濯水は洗濯時の回転する流れによって、１配列めに装着している非磁性体を通過した場合は、２配列めに装着した磁石のＮ極の磁場を通過することによって、まんべんなく、正の電荷を得ることができ、正の電荷を持った洗濯水に磁気処理されたことで、水の表面張力が小さくなり、水和が増え、水の溶解力が増し、黒カビ菌の持つ負の電荷を不活性化することで、洗濯槽外面、受水槽内面に付着する黒カビの発生防止となり、衣類などに付着する黒カビを除去することで、洗濯機によるカビアレルギー性皮膚炎などを無くし環境にやさしい効果をえることが可能となる。
【発明の実施するための最良の形態】
【００１０】  以下、本発明の実施の形態を図１〜図４に基づいて説明する。
【００１１】  図においては、受水槽１１の外面に、磁石１２と非磁性体１４を装着できるボックス１５を設け、そのボックス１５の配列を複数用いて等間隔に配置し、磁石１２と非磁性体１４を交互に装着し配置している。
【００１２】  また、ボックス１６はボックス１５と、２列配列に用いるボックス１６で、磁石１２と非磁性体１４の位置がボックス１５と交互になるように、磁石１２と非磁性体１４を装着させ、受水槽１１の外面に磁石１２のＮ極１３を洗濯槽１７の中心に向け、複数個装着し受水槽１１、洗濯槽１７内部にＮ極１３の同極磁場を構成している。
【００１３】  以下、上記構成による洗濯水の磁気処理について説明する。
洗濯槽１７の洗濯水は攪拌翼１８の回転よって、洗濯槽１７、受水槽１１の内面に向かって、外周方向に流れるように回転し、その流れとなることで洗濯水は受水槽１１外面に装着された磁石１２のＮ極１３の磁場を直角に流れ、正の電荷を持った磁気処理の洗濯水にすることができができる。
【００１４】  洗濯槽１７に給水する洗濯水、すすぎ水は攪拌翼１８の回転している間は、受水槽１１外面に装着されている磁石１２のＮ極１３の磁場を直角に流れることで継続的に磁気処理を得ることができ、そして受水槽１１外面に等間隔で配列を配置することで、洗濯槽１７の中心に向かって、磁石１２のＮ極１３が放射状に受水槽１１、洗濯槽１７の内部に正の電荷の磁場を構成し、より効果の高い磁気処理の洗濯水ができる。
【００１５】  受水槽１１外面に設けた２列配列は、１列めの配列に装着された非磁性体１４の位置を洗濯水が通過し、磁気処理されず通過するのを２列めに装着されている、磁石１２のＮ極１３の磁場を通過することで洗濯水は、かならず磁気処理を得ることができることでより効果を発揮する。
以上のように、本実施形態によって洗濯水は磁気処理効果をを得られるものである。
【図面の簡単な説明】
【００１６】
【図１】  概略構造一部分の側面断面図
【図２】  図１のＡ−Ａ断面図
【図３】  図２のＢ−Ｂ部分断面図
【図４】  図４は図１のＣ部の拡大図
【符合の説明】
【００１７】１１受水槽
１２磁石
１３Ｎ極
１４非磁性体
１５ボックス
１６ボックス
１７洗濯槽
１８攪拌翼
【図１】
2005261890.tif 000003
【図２】
2005261890.tif 000004
【図３】
2005261890.tif 000005
【図４】
2005261890.tif 000006
【手続補正書】
【提出日】平成16年10月15日(2004.10.15)
【手続補正１】
【補正対象書類名】特許請求の範囲
【補正対象項目名】全文
【補正方法】変更
【補正の内容】
【特許請求の範囲】
【請求項１】
洗濯機の受水槽側面に磁石を装着しその装着は、磁石のＮ極面を受水槽より内側にある洗濯槽の中心方向に向け装着していることを特徴とする洗濯機。
【請求項２】
上記磁石の複数装着は、磁石と非磁性体を交互に用いて磁石と磁石の間隔を設け直線状に配列し、その配列を複数装着していることを特徴とする請求項１記載の洗濯機。
【請求項３】
上記配列を２配列に組み合せる配列は、磁石と非磁性体の位置が、１列めと２列めの組み合せが交互に配置されていることを特徴とする請求項２記載の洗濯機。
【手続補正２】
【補正対象書類名】明細書
【補正対象項目名】全文
【補正方法】変更
【補正の内容】
【発明の詳細な説明】
【技術分野】
【０００１】  本発明は、磁石を用いて、洗濯槽、受水槽内に流れる洗濯水にＮ極の磁力をあたえ、同極の磁場の作用で正の電荷を持った、洗濯水にすることのできる洗濯機に関するものである。
【背景技術】
【０００２】  従来の洗濯機における洗濯水の磁気処理方法は、一般的に給水管に磁石を設けるか、または、洗濯槽の内側面に磁石を取り付け、磁石が持つＮ極とＳ極の異極を対向になるよに装着し、その異極の磁場を洗濯水が通過することで連続的に磁気処理する方法がある（例えば、特許文献１参照。）。
また、洗濯槽の外側に洗濯水が流れるバイバス水路を１個以上設け、バイバス水路にＮ極とＳ極の磁石を異極が対向になるように挟み、洗濯水及び、すすぎ水を連続的に磁気処理する方法がある（例えば、特許文献１参照。）。【０００３】  そして、洗濯槽の外側に洗濯水の循環経路を設け、その循環経路に２つの磁石で異極が対向になるように循環経路に挟み、洗濯水をポンプで循環させ、磁気処理させる方法などがある（例えば、特許文献２参照。）。
また、洗濯機の攪拌翼の裏側に水路を設け、攪拌翼の回転軸と平行になるように、磁石のＳ極とＮ極を配置し、洗濯水及び、すすぎ水を磁気処理する方法がある（例えば、特許文献２公報参照。）。【０００４】  上記のいずれの内容も磁石のＮ極とＳ極を対向に向けるか、同極を用いて、洗濯水の給水路、受水槽の循環経路、又は洗濯槽の内面に磁石を取付け、洗濯水及び、すすぎ水を磁気処理することにより、洗剤使用料の削減、洗濯効率を高め、細菌の繁殖抑制、及び水を軟水化する磁気処理方法である。
【特許文献１】特開平７−２４１７６号  公報
【特許文献２】特開平１０−２９５９８７号  公報
【発明の開示】
【発明が解決しようとする課題】
【０００５】  従来から洗濯機に用いられている磁石の仕様方法は、給水路にＮ極を装着した同極方式と、Ｎ極とＳ極を対向に向け洗濯槽の壁面、攪拌翼の裏面に磁石を取付ける異極方式は、水中の中で磁石の異極を対向に向け装着したその磁石の両端部片側にも異極のＮ極とＳ極の磁場が構成され、洗濯水は両磁場を流れることで効果がなく、また、洗濯槽、受水槽にバイバス回路、循環経路を設け、その回路、経路に異極のＮ極とＳ極を対向に向け循環する洗濯水に磁気をあたえる方法では、Ｎ極の正の磁場を通過する洗濯水の流量がいずれも少なく、また、給水路の同極仕様も給水時のみの効果で十分に磁気処理を得ることができなかった。【０００６】  そして、上記内容の仕様での磁気処理水の給水、または、洗濯槽壁面、循環方式に磁石を用いた仕様方法では、洗濯槽に給水された磁気処理水と同じく、洗濯する時の洗濯槽の回転、また、攪拌翼の回転によって水に流れの動きができることで、水に復元力が生れ、磁気処理を受ける前の本来の水の分子構造に復元することで、磁気処理水の効果を得ることが少なく黒かびの発生防止、細菌の繁殖抑制、軟水化にすることができなかった。【０００７】  本発明は、上記課題を解決するもので、洗濯機の受水槽側面にＮ極の磁石を装着することで、受水槽内部、洗濯槽に正の磁場ができ、給水した洗濯水は攪拌翼によって、受水槽、洗濯槽の側面にそって水の流れができ、一定の速さで流れ、その流れによって正の磁場を通過することで洗濯水は磁気処理され、攪拌翼の回転による正の電荷を持つ磁気処理水を得ることができ、洗濯水の磁気処理効果を高めることで、洗剤使用料の削減、黒かびの発生防止、細菌の繁殖抑制、及び、水の硬度を中性化することのできる洗濯機を提供することを目的とするものである。
【課題を解決するための手段】
【０００８】  本発明は、上記目的を達成するために、洗濯機の受水槽側面に磁石のＮ極面を受水槽より内面にある洗濯槽の中心に向け受水槽側面に磁石複数個を磁石と非磁性体を交互に用いて磁石間の位置を調整し受水槽側面に垂直に装着しより効果をえるために、その配列を複数用いてバランス良く等間隔に配置することができる。【０００９】  磁気処理効果をより多く得るには、単列配列より、２列以上の組み合せ配列にすることで、その配列方法は１列めと２列めの磁石と非磁性体の位置が、１列めと２列めの組み合せが交互に配置することで受水槽、洗濯槽内の洗濯水がむらなく磁場を流れ、効果的な磁気処理水を得ることができる組み合せ配列を用いたものである。
【発明の効果】
【００１０】  上述したように本発明は、洗濯槽内の洗濯水水面に対して、垂直に磁石複数個を受水槽の外面に配列し、洗濯槽の中心に向けＮ極を装着させることで、洗濯槽、受水槽内部にＮ極の磁場が発生し、洗濯槽内部に給水される洗濯水の高低に関係なく洗濯水は、攪拌翼の動きによって洗濯水は、洗濯槽、受水槽内に一定の流れができることによって、受水槽外面に配列された磁石のＮ極が持つ正の磁場を、ほぼ直角的に一定の速さで流れを得ることで、負の電荷を持った洗濯水は、正の電荷を持つ洗濯水に磁気処理されることで、細菌の繁殖抑制、洗濯水のペーハーの値が中性化し、洗剤使用料の削減、洗濯効率を高め、また、硬水を用いている地域にも肌に優しい柔らかい洗濯物を提供できる洗濯機。【００１１】  また、洗濯槽内の洗濯水水面に対して、垂直に磁石複数個を受水槽の外面に２列以上の組み合せ配列にすることで、洗濯水が一定の速さで受水槽、洗濯槽内を流れ、１配列めに装着している非磁性体を通過した場合は、２配列めに装着した磁石のＮ極の磁場を通過することで、まんべんなく、正の電荷を得ることができ、正の電荷を持った洗濯水に磁気処理されることで、水の表面張力が小さくなり、水和が増え、水の溶解力が増し、黒カビ菌の持つ負の電荷を不活性化することで、洗濯槽外面、受水槽内面に付着する黒カビの発生防止となり、衣類などに付着する黒カビを除去することで、洗濯機によるカビアレルギー性皮膚炎などを無くし、環境にやさしい効果的な洗濯水をえることが可能となる。
【発明の実施するための最良の形態】
【００１２】  以下、本発明の実施の形態を図１〜図４に基づいて説明する。
【００１３】  図１においては、受水槽１１の側面に磁石１２と非磁性体１４を交互に装着できるボックス１５を設け、その磁石１２のＮ極１３を洗濯槽１７の中心方向に向けることで、受水槽１１、洗濯槽１７内部にＮ極１３の同極磁場が構成され、その磁場をより多く受水槽１１、洗濯槽１７内部にえられるように、複数のボックス１５を設け等間隔に配慮することで、受水槽１１のバランスが取れ受水槽１１、洗濯槽１７内部全体にＮ極の同極磁場にすることができる。
【００１４】  また、図２のボックス１６はボックス１５と、２列配列に用いるためのボックス１６で、磁石１２と非磁性体１４の位置がボックス１５と交互になるように、磁石１２と非磁性体１４を装着させることで、同極磁場をある幅で直線状に受水槽、洗濯槽内部に設けることができる。
【００１５】  図において、ボックス１５．１６に取り付ける磁石１２と非磁性体１４の交互の組み合せは、非磁性体１４を磁石１２間に組みこむことで、磁石１２と磁石１２の磁力の反発を非磁性体１４の長さを調整することで、磁石１２と磁石１２取付間隔を任意の位置に装着することができる。
【００１６】  以下、上記構成による洗濯水の磁気処理について説明する。
洗濯槽１７の洗濯水は攪拌翼１８の回転よって、洗濯槽１７、受水槽１１の内側面に向かって、外周方向に流れるように回転し、その一定の速さを持つ流れによって洗濯水は受水槽１１外面に装着された磁石１２のＮ極１３の磁場をほぼ直角的に流れることで、負の電荷を持つ洗濯水は正の磁場を通過することによって、水の電位差ができ水の電子が原子核より離出することで、水の電子構造が変化し、正の電荷を持つ磁気処理された洗濯水にすることができができる。
【００１７】  洗濯槽１７に給水する洗濯水、すすぎ水は攪拌翼１８の回転によって、受水槽１１側面に装着されている磁石１２のＮ極１３の磁場をほぼ直角的に流れることで、洗濯機の稼動中は継続的に磁気処理を得ることができ、そして受水槽１１側面に等間隔で磁石の配列を設けることで、洗濯槽１７の中心に向かって、磁石１２のＮ極１３が放射状に受水槽１１、洗濯槽１７の内部に正の電荷の磁場をより効率よく構成することができ、より効果の高い磁気処理水を得ることができる。
【００１８】  受水槽１１外面に設けた２列配列は、１列めの配列に装着された非磁性体１４の位置を洗濯水が流れ、磁気処理されず流れるのを防ぎぐために、２列めに装着されている、磁石１２のＮ極１３の磁場を流れることで洗濯水は、かならず磁気処理を得ることができることで、より効果を発揮する。
以上のように、本実施形態によって洗濯水は磁気処理効果をを得られるものである。
【図面の簡単な説明】
【００１９】
【図１】  概略構造一部分の側面断面図
【図２】  図１のＡ−Ａ断面図
【図３】  図２のＢ−Ｂ部分断面図
【図４】  図４は図１のＣ部の拡大図
【符合の説明】
【００２０】  １１受水槽
１２磁石
１３Ｎ極
１４非磁性体
１５ボックス
１６ボックス
１７洗濯槽
１８攪拌翼